(57)【特許請求の範囲】
【請求項１】
制御情報フォーマットにおけるＸ個（Ｘは３以上の正整数である）のビットの指示方式を確定するための上位層配置シグナリングを受信し、但し、前記Ｘ個のビットの指示方式は、Ｘ個のビットで前記制御情報における活性化転送モジュールの第１種のパラメータ集合と第２種のパラメータ集合を指示することを含むことと、
前記上位層配置シグナリングに基づいて、前記制御情報フォーマットを生成することと、を含み、
前記第１種のパラメータ集合が、セル信号転送の層数、スクランブル識別子、アンテナポートの中の少なくとも一つのパラメータを含み、前記第２種のパラメータ集合が、ＣＲＳポート数量、ＣＳＩ−ＲＳパターンの中の少なくとも一つのパラメータを含む制御情報処理方法。
【請求項２】
前記制御情報フォーマットを生成した後、
生成した前記制御情報フォーマットをユーザ端末ＵＥへ送信することを更に含む請求項１に記載の方法。
【請求項３】
前記Ｘ個のビットの指示方式として、Ｘ個のビットで前記制御情報における活性化転送モジュールの第１種のパラメータ集合と第２種のパラメータ集合を指示することは、
Ｘ個のビット中のＸ１ビットで前記第１種のパラメータ集合を指示し、Ｘビット中のＸ２ビットで前記第２種のパラメータ集合を指示し、前記Ｘ１ビットは、転送モジュールの数量が異なる時の異なる第１種のパラメータ集合のジョイント符号化を指示するに用いられ、前記Ｘ２ビットは、上位層配置シグナリングにより定義される２Ｘ２個の第２種のパラメータ集合から１つの第２種のパラメータ集合を選択するに用いられること、又は、
Ｘ個のビットで前記第１種のパラメータ集合と前記第２種のパラメータ集合とからなる組合せを指示し、当該Ｘビットが２Ｘ個の状態を含み、２Ｘ個の状態における２Ｘ１個の状態は、転送モジュールの数量が異なる時の異なる第１種のパラメータ集合のジョイント符号化を指示するに用いられ、２Ｘ個の状態における２Ｘ２個の状態は、上位層配置シグナリングにより定義される２Ｘ２個の第２種のパラメータ集合から１つの第２種のパラメータ集合を選択するに用いられることを含み、
ただし、Ｘ＝Ｘ１＋Ｘ２である（Ｘ１とＸ２は１以上の正整数である）請求項１に記載の方法。
【請求項４】
前記上位層配置シグナリングに基づいて、前記制御情報フォーマットを生成することは、
前記上位層配置シグナリングに基づいて、前記指示方式から前記制御情報フォーマット生成用のＸ個のビットの指示方式を選択することと、
選択した前記指示方式に基づいて、前記制御情報フォーマットを生成することと、を含む請求項１乃至３の中のいずれかに記載の方法。
【請求項５】
前記第２種のパラメータ集合が、さらに、
セルアイデンティティ識別子、マルチキャスト・ブロードキャスト−単一周波数ネットワークＭＢ−ＳＦＮサブフレーム配置情報、非零電力ＣＳＩ−ＲＳパターン、零電力ＣＳＩ−ＲＳパターンの中の少なくとも一つのパラメータを含む請求項１乃至３の中のいずれかに記載の方法。
【請求項６】
制御情報フォーマットにおけるＸ個（Ｘは３以上の正整数である）のビットの指示方式を確定するための上位層配置シグナリングを受信し、但し、前記Ｘ個のビットの指示方式は、Ｘ個のビットで前記制御情報における活性化転送モジュールの第１種のパラメータ集合と第２種のパラメータ集合を指示することを含む受信モジュールと、
前記上位層配置シグナリングに基づいて、前記制御情報フォーマットを生成する生成モジュールと、を含み、
前記第１種のパラメータ集合が、セル信号転送の層数、スクランブル識別子、アンテナポートの中の少なくとも一つのパラメータを含み、前記第２種のパラメータ集合が、ＣＲＳポート数量、ＣＳＩ−ＲＳパターンの中の少なくとも一つのパラメータを含む制御情報処理装置。
【請求項７】
生成した前記制御情報フォーマットをユーザ端末ＵＥへ送信する送信モジュールを更に含む請求項６に記載の装置。
【請求項８】
前記Ｘ個のビットの指示方式として、Ｘ個のビットで前記制御情報における活性化転送モジュールの第１種のパラメータ集合と第２種のパラメータ集合を指示することは、
Ｘ個のビット中のＸ１ビットで前記第１種のパラメータ集合を指示し、Ｘビット中のＸ２ビットで前記第２種のパラメータ集合を指示し、前記Ｘ１ビットは、転送モジュールの数量が異なる時の異なる第１種のパラメータ集合のジョイント符号化を指示するに用いられ、前記Ｘ２ビットは、上位層配置シグナリングにより定義される２Ｘ２個の第２種のパラメータ集合から１つの第２種のパラメータ集合を選択するに用いられる、又は、Ｘ個のビットで前記第１種のパラメータ集合と前記第２種のパラメータ集合とからなる組合せを指示し、当該Ｘビットが２Ｘ個の状態を含み、２Ｘ個の状態における２Ｘ１個の状態は、転送モジュールの数量が異なる時の異なる第１種のパラメータ集合のジョイント符号化を指示するに用いられ、２Ｘ個の状態における２Ｘ２個の状態は、上位層配置シグナリングにより定義される２Ｘ２個の第２種のパラメータ集合から１つの第２種のパラメータ集合を選択するに用いられることを含み、ただし、Ｘ＝Ｘ１＋Ｘ２である（Ｘ１とＸ２は１以上の正整数である）請求項６に記載の装置。
【請求項９】
前記生成モジュールが、
前記上位層配置シグナリングに基づいて、前記指示方式から前記制御情報フォーマット生成用のＸ個のビットの指示方式を選択する選択ユニットと、
選択した前記指示方式に基づいて、前記制御情報フォーマットを生成する生成ユニットと、を含む請求項６乃至８の中のいずれかに記載の装置。
【請求項１０】
前記第２種のパラメータ集合が、さらに、
セルアイデンティティ識別子、マルチキャスト・ブロードキャスト−単一周波数ネットワークＭＢ−ＳＦＮサブフレーム配置情報、非零電力ＣＳＩ−ＲＳパターン、零電力ＣＳＩ−ＲＳパターンの中の少なくとも一つのパラメータを含む請求項６乃至８の中のいずれかに記載の装置。
【発明の詳細な説明】
【技術分野】
【０００１】
本発明は、通信分野に関し、具体的に、制御情報処理方法及び装置に関する。
【背景技術】
【０００２】
無線通信技術において、基地局側（例えば、進化したノードＢ、即ち、ｅＮＢ）で複数本のアンテナを用いてデータを送信する場合、空間分割多重化の方式でデータ転送速度を向上させることができ、即ち、送信端で同一の時間周波数リソースを用いて異なるアンテナ位置で異なるデータを送信し、受信端（例えば、ユーザ機器ＵＥ）も複数本のアンテナを用いてデータを受信することができる。シングルユーザの場合、全部のアンテナのリソースを同一のユーザに割り当て、当該ユーザが転送間隔において基地局側から割り当てられた物理リソースを単独で占め、このような転送方式は、シングルユーザ多入力多出力(Ｓｉｎｇｌｅ  Ｕｓｅｒ  Ｍｕｌｔｉｐｌｅ−Ｉｎｐｕｔ  Ｍｕｌｔｉｐｌｅ−Ｏｕｔ−ｐｕｔ、ＳＵ−ＭＩＭＯと略称)と呼ばれ、一方、マルチユーザの場合、異なるアンテナの空間リソースを異なるユーザに割り当て、１つのユーザと少なくとも１つの他のユーザが１つの転送間隔において基地局側から割り当てられた物理リソースを共有し、共有方式は空間分割多元接続方式又は空間分割多重化方式であって、このような転送方式はマルチユーザ多入力多出力(Ｍｕｌｔｉｐｌｅ  Ｕｓｅｒ  Ｍｕｌｔｉｐｌｅ−Ｉｎｐｕｔ  Ｍｕｌｔｉｐｌｅ−Ｏｕｔ−ｐｕｔ、ＭＵ−ＭＩＭＯと略称)と呼ばれ、ここで、基地局側から割り当てられた物理リソースは時間周波数リソースのことを言う。転送システムが同時にＳＵ−ＭＩＭＯとＭＵ−ＭＩＭＯを支援すると、ｅＮＢはＵＥに２つのモードのデータを提供しなければならない。ＵＥは、ＳＵ−ＭＩＭＯモード又はＭＵ−ＭＩＭＯモードである場合、いずれもｅＮＢが当該ＵＥにＭＩＭＯデータを転送するに用いたランク（Rank）を把握しなければらない。ＳＵ−ＭＩＭＯモードにおいて、全部のアンテナのリソースを同一のユーザに割り当てるので、ＭＩＭＯデータの転送に用いられる層数がｅＮＢによるＭＩＭＯデータの転送に用いられるランクに等しく、ＭＵ−ＭＩＭＯモードにおいて、１つのユーザの転送に対応する層数は、ｅＮＢによるＭＩＭＯデータ転送の総層数より小さく、ＳＵ−ＭＩＭＯモードとＭＵ−ＭＩＭＯの切り替えを行う場合、ｅＮＢは異なる転送モードでＵＥに異なる制御データを通知しなければならない。
【０００３】
長期進化（Ｌｏｎｇ−Ｔｅｒｍ  Ｅｖｏｌｕｔｉｏｎ、ＬＴＥと略称）のバージョン８（Ｒｅｌｅａｓｅ  ８）標準には、物理下り制御フォーマット指示チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨと略称）と、物理混合自動再転送要求指示チャネル（Ｐｈｙｓｉｃａｌ  Ｈｙｂｒｉｄ  Ａｕｔｏｍａｔｉｃ  Ｒｅｔｒａｎｓｍｉｓｓｉｏｎ  Ｒｅｑｕｅｓｔ  Ｉｎｄｉｃａｔｏｒ  Ｃｈａｎｎｅｌ、ＰＨＩＣＨと略称）と、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称）のような３種類の下り物理制御チャネルが定義された。ここで、ＰＤＣＣＨは、上り/下りスケジューリング情報と上り送信電力制御情報を含む下り制御情報（Ｄｏｗｎｌｉｎｋ  Ｃｏｎｔｒｏｌ  Ｉｎｆｏｒｍａｔｉｏｎ、ＤＣＩと略称）を運搬するに用いられる。ＤＣＩのフォーマット（ＤＣＩ  ｆｏｒｍａｔ）は、ＤＣＩ  ｆｏｒｍａｔ  ０、ＤＣＩ  ｆｏｒｍａｔ  １、ＤＣＩ  ｆｏｒｍａｔ  １Ａ、ＤＣＩ  ｆｏｒｍａｔ  １Ｂ、ＤＣＩ  ｆｏｒｍａｔ  １Ｃ、ＤＣＩ  ｆｏｒｍａｔ  １Ｄ、ＤＣＩ  ｆｏｒｍａｔ  ２、ＤＣＩ  ｆｏｒｍａｔ  ２Ａ、ＤＣＩ  ｆｏｒｍａｔ  ３、ＤＣＩ  ｆｏｒｍａｔ  ３Ａ等に分けられ、ここで、ＭＵ−ＭＩＭＯを支援する転送モード５はＤＣＩ  ｆｏｒｍａｔ  １Ｄの下り制御情報を利用していて、ＤＣＩ  ｆｏｒｍａｔ  １Ｄ中の下り電力オフセットフィールド（Ｄｏｗｎｌｉｎｋ  ｐｏｗｅｒ  ｏｆｆｓｅｔ  ｆｉｅｌｄ）
【０００４】
【数１】
0006293144.tif 000002
【０００５】
はＭＵ−ＭＩＭＯモードにおいて１つのユーザの電力を半分に減らす（即ち、-１０ｌｏｇ１０（２））情報を指示し、これは、ＭＵ−ＭＩＭＯ転送モード５が２つのユーザのＭＵ−ＭＩＭＯ転送のみを支援するので、当該下り電力オフセットフィールドによって、ＭＵ−ＭＩＭＯ転送モード５がＳＵ−ＭＩＭＯモードとＭＵ−ＭＩＭＯモードの動的な切り替えを支援できるからであるが、ＳＵ−ＭＩＭＯモード又はＭＵ−ＭＩＭＯモードにおいて、当該ＤＣＩ  ｆｏｒｍａｔは１つのＵＥに対して１ストリームのみの転送を支援し、ＬＴＥ  Ｒｅｌｅａｓｅ  ８が転送モード４にて最高で２つのストリームのシングルユーザの転送を支援するが、転送モード間の切り替えが半静態であるので、ＬＴＥのバーション８においてはシングルユーザの複数ストリームの転送及びマルチユーザの転送の動的な切り替えを実現することができない。
【０００６】
ＬＴＥのバージョン９（Ｒｅｌｅａｓｅ  ９）において、下りの複数アンテナの転送を強化するため、ビームフォーミング（Ｂｅａｍｆｏｒｍｉｎｇ）の転送モードを導入し、下り制御情報にＤＣＩ  ｆｏｒｍａｔ  ２Ｂを追加することでこのような転送モードを支援し、下り制御情報の処理方法と装置は１つのスクランブル識別子（ｓｃｒａｍｂｌｉｎｇ  ｉｄｅｎｔｉｔｙ、ＳＣＩＤと略称）の識別ビットを有することで２つの異なるスクランブルシーケンスを支援し、ｅＮＢは当該２つのスクランブルシーケンスを異なるユーザに割り当て、同一のリソースで複数のユーザの多重化を実現する。そして、１つの転送モジュールのみが活性化された場合、非活性化（Ｄｉｓａｂｌｅｄ）の転送モジュールに対応する新規のデータ指示（ＮＤＩ）ビットは単一層で転送する際のアンテナポートを指示する。
【０００７】
ＬＴＥのバージョン１０（Ｒｅｌｅａｓｅ  １０）に、シングルユーザＭＩＭＯとマルチユーザＭＩＭＯの動的な切り替転送方式を導入して、少なくとも８層の転送を支援し、また、下り制御情報にＤＣＩ  ｆｏｒｍａｔ  ２Ｃを増加することで転送モードを支援し、下り制御情報の処理方法及び装置はスクランブル識別子、アンテナポート、層数をジョイント符号化した識別ビットを有し、８つのアンテナポートは少なくとも８層のシングルユーザＭＩＭＯ転送を支援し、スクランブル識別子はマルチユーザＭＩＭＯの転送を支援する。
【０００８】
ＬＴＥのバージョン１１（Ｒｅｌｅａｓｅ  １１）において、シングルユーザＭＩＭＯとマルチユーザＭＩＭＯの動的な切り替え転送方式を支援することに基づいて、多地点協調転送ＣＯＭＰ転送方式を導入していて、ＣＯＭＰ技術は主に、セル縁部のスループットの向上に用いられる。現在の下り制御情報によると、セル縁部のデータスループットを向上させるしかできなく、セル間（例えば、マクロ基地局とマイクロ基地局との間、マクロ基地局とマクロ基地局との間）の参照信号の干渉制御を支援することはできなく、ノードの選択に基づいて正確なリソースのマッピング、参照信号とデータリソースの重なりを行わないと、データに大きな干渉を与えることになり、端末の復調性能及びシステムの周波数スペクトル効率に影響を与えてしまう。
従って、関連技術に制御情報が参照信号の干渉制御の処理を支援できない問題が存在する。
【発明の概要】
【発明が解決しようとする課題】
【０００９】
本発明は、少なくとも既存技術において制御情報が参照信号の干渉制御の処理を支援しない問題を解決できる制御情報処理方法及び装置を提供することをその目的とする。
【課題を解決するための手段】
【００１０】
本発明の一態様によると、制御情報フォーマットにおけるＸ個（Ｘは３以上の正整数である）のビットの指示方式を確定するための上位層配置（コンフィギレーション）シグナリングを受信し、但し、前記Ｘ個のビットの指示方式は、Ｘ個のビット全部で前記制御情報における活性化転送モジュール（ｅｎａｂｌｅｄ  ｔｒａｎｓｍｉｓｓｉｏｎ  ｂｌｏｃｋ）の第１種のパラメータ集合を指示することと、Ｘ個のビットで前記制御情報における活性化転送モジュールの第１種のパラメータ集合と第２種のパラメータ集合を指示することの少なくとも１つを含むことと、前記上位層配置シグナリングに基づいて、前記制御情報フォーマットを生成することとを含む制御情報処理方法を提供する。
前記制御情報フォーマットを生成した後、生成した前記制御情報フォーマットをユーザ端末ＵＥへ送信するステップを更に含むことが好ましい。
【００１１】
前記Ｘビットの指示方式として、Ｘ個のビットで前記制御情報における活性化転送モジュールの第１種のパラメータ集合と第２種のパラメータ集合を指示することは、Ｘ個のビット中のＸ１個のビットで前記第１種のパラメータ集合を指示し、Ｘビット中のＸ２ビットで前記第２種のパラメータ集合を指示し、又は、Ｘ個のビットで前記第１種のパラメータ集合と前記第２種のパラメータ集合とからなる組合せを指示することを含み、Ｘ＝Ｘ１＋Ｘ２である（Ｘ１とＸ２は１以上の正整数である）ことが好ましい。
【００１２】
前記上位層配置シグナリングに基づいて、前記制御情報フォーマットを生成することは、前記上位層配置シグナリングに基づいて、前記指示方式から前記制御情報フォーマット生成用のＸ個のビットの指示方式を選択し、選択した前記指示方式に基づいて、前記制御情報フォーマットを生成することを含むことが好ましい。
【００１３】
前記第１種のパラメータ集合が、セル信号転送（ｃｅｌｌ  ｓｉｇｎａｌ  ｔｒａｎｓｍｉｓｓｉｏｎ）の層数、スクランブル識別子（ｓｃｒａｍｂｌｉｎｇ  ｉｄｅｎｔｉｔｙ）、アンテナポート（ａｎｔｅｎｎａ  ｐｏｒｔ）の中の少なくとも１つのパラメータを含むことが好ましい。
【００１４】
前記第２種のパラメータ集合が、セルアイデンティティ識別子（ｃｅｌｌ  ｉｄｅｎｔｉｔｙ）、マルチキャスト・ブロードキャスト−単一周波数ネットワークＭＢ−ＳＦＮサブフレーム配置情報（Ｍｕｌｔｉｃａｓｔ  Ｂｒｏａｄｃａｓｔ−Ｓｉｎｇｌｅ  Ｆｒｅｑｕｅｎｃｙ  Ｎｅｔｗｏｒｋ  （ＭＢ−ＳＦＮ）  ｓｕｂｆｒａｍｅ  ｃｏｎｆｉｇｕｒａｔｉｏｎ  ｉｎｆｏｒｍａｔｉｏｎ）、ＣＲＳ（Ｃｏｍｍｏｎ  Ｒｅｆｅｒｅｎｃｅ  Ｓｉｇｎａｌ）ポート数量、チャネル状態情報−参照符ＣＳＩ−ＲＳパターン（Ｃｈａｎｎｅｌ  Ｓｔａｔｅ  Ｉｎｆｏｒｍａｔｉｏｎ−Ｒｅｆｅｒｅｎｃｅ  Ｓｙｍｂｏｌ  （ＣＳＩ−ＲＳ）  ｐａｔｔｅｒｎ）、非零電力ＣＳＩ−ＲＳパターン（ｎｏｎ−ｚｅｒｏ  ｐｏｗｅｒ  ＣＳＩ−ＲＳ  ｐａｔｔｅｒｎ）、零電力ＣＳＩ−ＲＳパターン（ｚｅｒｏ  ｐｏｗｅｒ  ＣＳＩ−ＲＳ  ｐａｔｔｅｒｎ）の中の少なくとも１つのパラメータを含むことが好ましい。
【００１５】
前記第２種のパラメータ集合が、セルアイデンティティ識別子、マルチキャスト・ブロードキャスト−単一周波数ネットワークＭＢ−ＳＦＮサブフレーム配置情報、ＣＲＳポート数量というパラメータを含むことが好ましい。
【００１６】
前記第２種のパラメータ集合が、セルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターンというパラメータを含むことが好ましい。
【００１７】
本発明の他の一態様によると、制御情報フォーマットにおけるＸ個（Ｘは３以上の正整数である）のビットの指示方式を確定するための上位層配置シグナリングを受信し、但し、前記Ｘ個のビットの指示方式は、Ｘ個のビット全部で前記制御情報における活性化転送モジュールの第１種のパラメータ集合を指示することと、Ｘ個のビットで前記制御情報における活性化転送モジュールの第１種のパラメータ集合と第２種のパラメータ集合を指示することの少なくとも１つを含む受信モジュールと、前記上位層配置シグナリングに基づいて、前記制御情報フォーマットを生成する生成モジュールと、を含む制御情報処理装置を提供する。
生成した前記制御情報フォーマットをユーザ端末ＵＥへ送信する送信モジュールを更に含むことが好ましい。
【００１８】
前記Ｘビットの指示方式としてＸ個のビットで前記制御情報における活性化転送モジュールの第１種のパラメータ集合と第２種のパラメータ集合を指示することは、Ｘ個のビット中のＸ１個のビットで前記第１種のパラメータ集合を指示し、Ｘビット中のＸ２ビットで前記第２種のパラメータ集合を指示し、又は、Ｘ個のビットで前記第１種のパラメータ集合と前記第２種のパラメータ集合とからなる組合せを指示することを含み、ここで、Ｘ＝Ｘ１＋Ｘ２である（Ｘ１とＸ２は１以上の正整数である）ことが好ましい。
【００１９】
前記生成モジュールが、前記上位層配置シグナリングに基づいて、前記指示方式から前記制御情報フォーマット生成用のＸ個のビットの指示方式を選択する選択ユニットと、選択した前記指示方式に基づいて、前記制御情報フォーマットを生成する生成ユニットと、を含むことが好ましい。
前記第１種のパラメータ集合が、セル信号転送の層数、スクランブル識別子、アンテナポートの中の少なくとも１つのパラメータを含むことが好ましい。
【００２０】
前記第２種のパラメータ集合が、セルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターン、非零電力ＣＳＩ−ＲＳパターン、零電力ＣＳＩ−ＲＳパターンの中の少なくとも１つのパラメータを含むことが好ましい。
【００２１】
前記第２種のパラメータ集合が、セルアイデンティティ識別子、マルチキャスト・ブロードキャスト−単一周波数ネットワークＭＢ−ＳＦＮサブフレーム配置情報、ＣＲＳポート数量のパラメータを含むことが好ましい。
【００２２】
前記第２種のパラメータ集合が、セルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターンのパラメータを含むことが好ましい。
【００２３】
本発明によると、上位層配置シグナリングを受信し、ここで、前記上位層配置シグナリングは制御情報フォーマット中のＸ個のビットの指示方式を確定するためのものであって、前記Ｘ個のビットの指示方式はＸ個のビットの全部で前記制御情報における活性化転送モジュールの第１種のパラメータ集合を指示することと、Ｘ個のビットで前記制御情報における活性化転送モジュールの第１種のパラメータ集合と第２種のパラメータ集合を指示することの中の少なくとも１つを含み、ここで、Ｘは３以上の正整数であって、また、前記上位層配置シグナリングに基づいて、前記制御情報フォーマットを生成することによって、関連技術において制御情報が参照信号の干渉制御の処理を支援できない問題を解決し、システムがノードの選択に基づいて正確なリソースのマッピングを行うことができ、参照信号とデータリソースの重なりによる干渉を避けることができ、セルのデータスループットを保証しつつ、多地点協調転送ＣＯＭＰ転送技術を利用して、セル間の参照信号の干渉制御を支援することができ、システムの周波数スペクトルの効率を向上させる効果を実現できる。
【図面の簡単な説明】
【００２４】
ここで説明する図面は本発明を理解させるためのもので、本発明の一部を構成し、本発明における実施例と共に本発明を解釈し、本発明を不当に限定するのではない。
【図１】本発明の実施例に係わる制御情報処理方法を示すフローチャートである。
【図２】本発明の実施例に係わる制御情報処理装置の構造を示すブロック図である。
【図３】本発明の実施例に係わる制御情報処理装置の好適な構造を示すブロック図である。
【図４】本発明の実施例に係わる制御情報処理装置中の生成モジュール３２の好適な構造を示すブロック図である。
【図５】本発明の実施例に係わる下り制御シグナリング処理方法を示すフローチャートである。
【図６】本発明の実施例に係わる下り制御シグナリング処理装置の構造を示すブロック図である。
【発明を実施するための形態】
【００２５】
以下、図面を参照しつつ実施例を結合して本発明を説明する。ここで、衝突しない限り、本願の実施例及び実施例に記載の特徴を互いに組み合わせることができる。
【００２６】
本実施例において制御情報処理方法を提供し、図１は本発明の実施例に係わる制御情報処理方法を示すフローチャートで、図１に示すように、以下のステップを含む。
【００２７】
上位層配置シグナリングを受信し（ステップＳ１０２）、ここで、当該上位層配置シグナリングは制御情報フォーマット中のＸ個のビットの指示方式を確定するためのものであって、Ｘ個のビットの指示方式は、Ｘ個のビット全部で制御情報における活性化転送モジュールの第１種のパラメータ集合を指示することと、Ｘ個のビットで制御情報における活性化転送モジュールの第１種のパラメータ集合と第２種のパラメータ集合（当該第１種のパラメータ集合はセルの信号転送の制御に用いられ、当該第２種のパラメータ集合はセル間の参照信号の干渉制御の制御に用いられる）を指示することの中の少なくとも１つを含み、Ｘは３以上の正整数である。
上記上位層配置シグナリングに基づいて、制御情報フォーマットを生成する（ステップＳ１０４）。
【００２８】
上記ステップによると、上位層配置シグナリングに基づいて確定した制御情報フォーマット中のＸビットの指示方式は、既存技術において当該Ｘビットで第１種のパラメータ集合を指示することでセル間の参照信号の干渉制御を支援できない問題が存在する場合に比べ、当該制御情報フォーマット中のＸビットが第２種のパラメータ集合を指定するためのビットを更に含み、既存技術におけるセル間の参照信号の干渉制御を支援できない問題を解決できると共に、システムの周波数スペクトルの効率をある程度向上できる。
【００２９】
制御情報フォーマットを生成した後、生成した上記制御情報フォーマットをユーザ端末ＵＥへ送信することができる。送信方式はさまざまであるが、例えば、物理制御チャネルを介してＵＥへ送信することができ、当該物理制御チャネルは通常の物理制御チャネルと強化の物理制御チャネルとを含む。また、他の方式で送信することもでき、上記制御情報フォーマットをＵＥへ送信できる方式であればすべて本発明に適用できる。
【００３０】
上記Ｘビットの指示方式としてＸ個のビットで制御情報における活性化転送モジュールの第１種のパラメータ集合と第２種のパラメータ集合を指示することもさまざまな形態があるが、例えば、Ｘ個のビット中のＸ１個のビットで第１種のパラメータ集合を指示し、Ｘビット中のＸ２ビットで第２種のパラメータ集合を指示するか、又は、例えば、Ｘ個のビットで第１種のパラメータ集合と第２種のパラメータ集合からなる組合せを指示することができ、ここで、Ｘ＝Ｘ１＋Ｘ２であって、Ｘ１とＸ２は１以上の正整数である。どの処理方式を利用しても第１種のパラメータ集合と第２種のパラメータ集合を指示することができ、具体的な状況に応じて選択することができる。
【００３１】
上位層配置シグナリングに基づいて、制御情報フォーマットを生成する際、上位層配置シグナリングに基づいて、指示方式から制御情報フォーマット生成用のＸ個のビットの指示方式を選択し、選択した上記指示方式に基づいて、制御情報フォーマットを生成することができる。ここで、上記第１種のパラメータ集合は、セル信号転送の層数、スクランブル識別子、アンテナポートの中の少なくとも１つのパラメータを含む。上記第２種のパラメータ集合は、セルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターン、非零電力ＣＳＩ−ＲＳパターン、零電力ＣＳＩ−ＲＳパターンの中の少なくとも１つのパラメータを含む。第１種のパラメータ集合と第２種のパラメータ集合を構成する際に上記パラメータを柔軟に組み合わせることができ、例えば、第１種のパラメータ集合を構成する際にはその中の２つ又は全部の３つのパラメータを選択し、第２種のパラメータ集合を構成する際にはその中の３つの又は３つ以上のパラメータを選択する、例えば、上記第２種のパラメータ集合がセルアイデンティティ識別子、マルチキャスト・ブロードキャスト−単一周波数ネットワークＭＢ−ＳＦＮサブフレーム配置情報、ＣＲＳポート数量を含むことが好ましい。又は、例えば、上記第２種のパラメータ集合がセルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターンというパラメータを更に含むことができる。
【００３２】
本実施例において制御情報処理装置を提供し、当該装置は上記実施例及び好適な実施形態を実現するものであって、説明した部分の説明は省略する。以下の利用される用語「モジュール」は所定の機能を実現できるソフトウェア及び/又はハードウェアの組合せである。以下の実施例に記載の装置をソフトウェアで実現することが望ましいが、ハードウェア又はソフトウェアとハードウェアの組合せによって実現することも可能である。
【００３３】
図２は、本発明の実施例に係わる制御情報処理装置の構造を示すブロック図で、図２に示すように、当該装置は受信モジュール２２と、生成モジュール２４と、を含み、以下当該装置を説明する。
【００３４】
受信モジュール２２は上位層配置シグナリングを受信し、ここで、当該上位層配置シグナリングは制御情報フォーマット中のＸ個のビットの指示方式を確定するためのものであって、Ｘ個のビットの指示方式はＸ個のビットの全部で制御情報における活性化転送モジュールの第１種のパラメータ集合を指示することと、Ｘ個のビットで制御情報における活性化転送モジュールの第１種のパラメータ集合と第２種のパラメータ集合を指示することの中の少なくとも１つを含み、Ｘは３以上の正整数である。生成モジュール２４は、上記受信モジュール２２に接続されて、上記上位層配置シグナリングに基づいて、制御情報フォーマットを生成する。
【００３５】
図３は、本発明の実施例に係わる制御情報処理装置の好適な構造を示すブロック図で、図３に示すように、当該装置は図２に示す全てのモジュールを含む以外、送信モジュール３２を更に含み、以下、上記送信モジュール３２を説明する。
送信モジュール３２は、上記生成モジュール２４に接続されて、生成した制御情報フォーマットをユーザ端末ＵＥへ送信する。
【００３６】
Ｘビットの指示方式としてＸ個のビットで制御情報における活性化転送モジュールの第１種のパラメータ集合と第２種のパラメータ集合を指示することが、Ｘ個のビット中のＸ１個のビットで第１種のパラメータ集合を指示し、Ｘビット中のＸ２ビットで第２種のパラメータ集合を指示することと、又は、Ｘ個のビットで第１種のパラメータ集合と第２種のパラメータ集合からなる組合せを指示することを含むことが好ましく、ここで、Ｘ＝Ｘ１＋Ｘ２であって、Ｘ１とＸ２は１以上の正整数である。
【００３７】
図４は、本発明の実施例に係わる制御情報処理装置中の生成モジュール３２の好適な構造を示すブロック図で、図４に示すように、当該生成モジュール３２は、選択ユニット４２と、生成ユニット４４と、を含み、以下、当該生成モジュール３２を説明する。
【００３８】
選択ユニット４２は、上記上位層配置シグナリングに基づいて、指示方式から制御情報フォーマット生成用のＸ個のビットの指示方式を選択し、生成ユニット４４は上記選択ユニット４２に接続されて、選択した指示方式に基づいて、制御情報フォーマットを生成する。
【００３９】
上記第１種のパラメータ集合が、セル信号転送の層数、スクランブル識別子、アンテナポートの中の少なくとも１つのパラメータを含むことが好ましい。上記第２種のパラメータ集合が、セルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターン、非零電力ＣＳＩ−ＲＳパターン、零電力ＣＳＩ−ＲＳパターンの中の少なくとも１つのパラメータを含むことが好ましい。例えば、上記第２種のパラメータ集合は、セルアイデンティティ識別子、マルチキャスト・ブロードキャスト−単一周波数ネットワークＭＢ−ＳＦＮサブフレーム配置情報、ＣＲＳポート数量というパラメータを含む。又は、例えば、上記第２種のパラメータ集合は、セルアイデンティティ識別子、マルチキャスト・ブロードキャスト−単一周波数ネットワークＭＢ−ＳＦＮサブフレーム配置情報、ＣＲＳポート数量、チャネル状態情報−参照符ＣＳＩ−ＲＳパターンのパラメータを含む。
【００４０】
関連技術に下り制御情報がセル間の参照信号の干渉制御を支援しない問題が存在することに対し、本実施例において下り制御シグナリングの処理方法及び装置（又は、制御情報処理方法及び装置と呼ばれる）を提供し、また、当該方法は多層転送を支援する。当該方法によると、現在の下り制御情報のオーバーヘッドを増加させなく、現在の下り制御情報との互換性を保証しつつ、下り制御情報がセル間の参照信号の干渉制御を支援できる。
【００４１】
本実施例に提供される下り制御シグナリングの処理方法は、基地局（eNodeB）が下り制御情報フォーマットを生成するステップを含み、ここで、多入力多出力（ＭＩＭＯ）データ転送の場合、上位層配置シグナリングに基づいて、上記下り制御情報フォーマットにおいて、Ｘビットを用いて活性化の転送モジュールの数量が異なる時の異なる第１種のパラメータ集合のジョイント符号化と上位層配置シグナリングに定義された２つの第２種のパラメータ集合中の異なる第２種のパラメータ集合を指示する。ここで、Ｘは３以上の正整数である。基地局は、上記下り制御情報フォーマットを物理制御チャネルを介して端末ＵＥへ送信することができる。上記上位層配置指示シグナリングは、２種類の下り制御シグナリングのＸビットの異なる指示方法の選択に用いられる。異なる指示方法が異なる表現形態をとることができる。
【００４２】
例えば、第１種指示方式は、当該ｘビットが転送モジュールの数量が異なる時の異なる第１種のパラメータ集合のジョイント符号化のみを指示する方式であって、第２種指示方式は、当該Ｘビットがｘ１ビットとｘ２ビットの２つの部分を含み、ｘ１ビットで転送モジュールの数量が異なる時の異なる第１種のパラメータ集合のジョイント符号化を指示し、ｘ２ビットは２Ｘ２個の第２種のパラメータ集合から１つの第２種のパラメータ集合を選択するに用いられ、また、上位層配置シグナリングにより当該２Ｘ２個の第２種のパラメータ集合が定義される。ここで、ｘ＝ｘ１＋ｘ２であって、ｘ１とｘ２は１以上の正整数である。
【００４３】
又は、例えば、第１種指示方式は、当該ｘビットが転送モジュールの数量が異なる時の異なる第１種のパラメータ集合のジョイント符号化のみを指示する方式であって、第２種指示方式は、当該ｘビットが２ｘ個の状態を含み、２Ｘ１個の状態で転送モジュールの数量が異なる時の異なる第１種のパラメータ集合のジョイント符号化を指示し、２Ｘ２個の状態が２Ｘ２個の第２種のパラメータ集合から１つの第２種のパラメータ集合を選択するに用いられ、また、上位層配置シグナリングにより当該２Ｘ２個の第２種のパラメータ集合が定義される。ここで、ｘ＝ｘ１＋ｘ２であって、ｘ１とｘ２は１以上の正整数である。
【００４４】
第１種のパラメータ集合のジョイント符号化が１つ又は２つの転送モジュールの活性化に対応する場合、転送の層数、スクランブル識別子、アンテナポートの中の２つ又は３つの情報にジョイント符号化を行うことを指示することが好ましい。第２種のパラメータ集合は、セルアイデンティティ識別子Ｃｅｌｌ−ＩＤ、ＣＲＳポート数量、ＭＢ−ＳＦＮサブフレームの配置情報の中の少なくとも１つのパラメータを含む。
【００４５】
当該第２種のパラメータ集合は、ＣＲＳパターン、送信アンテナ数量（ＣＲＳポート数量）、ＭＢ−ＳＦＮサブフレームの配置情報、ＣＳＩ−ＲＳパターンを含む。又は、例えば、当該第２種のパラメータ集合は、ＣＲＳパターン、送信アンテナ数量（ＣＲＳポート数量）、ＭＢ−ＳＦＮサブフレームの配置情報、非零電力ＣＳＩ−ＲＳパターン、零電力ＣＳＩ−ＲＳのビットパターンを含む。
【００４６】
本実施例においてさらに、下り制御シグナリングの処理装置を提供し、進化したノードＢに応用されるものであって、下り制御情報フォーマット生成モジュール（上記生成モジュールの機能に相当）と下り制御情報送信モジュール（上記送信モジュールの機能に相当）とを含む。当該行制御情報フォーマット生成モジュールは下り制御情報フォーマットを生成し、多入力多出力（ＭＩＭＯ）データ転送を行う場合、上位層配置シグナリングに基づいて、上記下り制御情報フォーマットにおいて、ｘビットで活性化の転送モジュールの数量が異なる時の異なる第１種のパラメータ集合のジョイント符号化と異なる第２種のパラメータ集合を指示する。ここで、ｘは１より大きい正整数である。当該下り制御情報送信モジュールは当該下り制御情報フォーマットを物理制御チャネルを介して端末ＵＥへ送信する。当該上位層配置シグナリングは、２種類の下り制御シグナリングのｘビットの異なる指示方法の選択に用いられる：
【００４７】
例えば、第１種指示方式は、当該ｘビットで転送モジュールの数量が異なる時の異なる第１種のパラメータ集合のジョイント符号化のみを指示する方式であって、第２種指示方式は、当該ｘビットがｘ１ビットとｘ２ビットの２つの部分を含みｘ１ビットで転送モジュールの数量が異なる時の異なる第１種のパラメータ集合のジョイント符号化を指示し、ｘ２ビットは２Ｘ２個の第２種のパラメータ集合から１つの第２種のパラメータ集合の選択に用いられ、また、上位層配置シグナリングにより上記２Ｘ２個の第２種のパラメータ集合が定義される。ここで、ｘ＝ｘ１＋ｘ２であって、ｘ１とｘ２は１以上の正整数である。
【００４８】
又は、例えば、第１種指示方式は、当該ｘビットで転送モジュールの数量が異なる時の異なる第１種のパラメータ集合のジョイント符号化のみを指示する方式であって、第２種指示方式は、当該ｘビットが２ｘ個の状態を含み、２Ｘ１個の状態で転送モジュールの数量が異なる時の異なる第１種のパラメータ集合のジョイント符号化を指示し、２Ｘ２個の状態が２Ｘ２個の第２種のパラメータ集合から１つの第２種のパラメータ集合の選択に用いられ、また、上位層配置シグナリングにより当該２Ｘ２個の第２種のパラメータ集合が定義される。ここで、ｘ＝ｘ１＋ｘ２であって、ｘ１とｘ２は１以上の正整数である。
【００４９】
第１種のパラメータ集合のジョイント符号化が１つ又は２つの転送モジュールの活性化に対応する場合、転送の層数、スクランブル識別子、アンテナポートの中の少なくとも１つの情報にジョイント符号化を行うことを指示することが好ましい。第２種のパラメータ集合は、セルアイデンティティ識別子Ｃｅｌｌ−ＩＤ、ＣＲＳポート数量、ＭＢ−ＳＦＮサブフレームの配置情報の中の少なくとも１つのパラメータを含む。第２種のパラメータ集合は、ＣＲＳパターン、送信アンテナ数量（ＣＲＳポート数量）、ＭＢ−ＳＦＮサブフレームの配置情報、ＣＳＩ−ＲＳパターンを含み、又は、例えば、第２種のパラメータ集合はＣＲＳパターン、送信アンテナ数量（ＣＲＳポート数量）、ＭＢ−ＳＦＮサブフレームの配置情報、非零電力ＣＳＩ−ＲＳパターン、零電力ＣＳＩ−ＲＳのビットパターンを含む。
【００５０】
上記実施例及び好適な実施形態によると、上記下り制御シグナリングを介して、多入力多出力（ＭＩＭＯ）データ転送時に異なる第１種のパラメータ集合のジョイント符号化と異なる第２種セルのパラメータを指示することによって、多地点協調転送時の異なるセル間の参照信号の干渉制御を有効に支援できる。
【００５１】
上記実施例及び好適な実施形態に提供される下り制御情報の処理方法及び装置によると、関連技術においてＬＴＥのバージョン１０で複数のセル間の参照信号の干渉制御を支援しない問題に対し、本発明の実施例によると下り制御情報の処理方法及び装置を提供し、下り制御情報フォーマット中の１つの指示シグナリングで、活性化の転送モジュールの数量が異なる時の異なる第１種のパラメータ集合のジョイント符号化と異なる第２種のパラメータ集合を指示し、また、第２種のパラメータ集合は主に参照信号パラメータを含み、多地点協調を支援する転送を実現する。そして、同一のシグナリングが最高総層数が８であるシングルユーザＭＩＭＯ転送とマルチユーザＭＩＭＯ転送及び多地点協調ＣＯＭＰ転送を支援し、シグナリングのオーバーヘッドを増加させず、現在の下り制御情報との互換性を保証しつつ、セル間の参照信号の干渉制御を有効に支援し、システムの周波数スペクトルの効率を有効に向上させる。
図５は、本発明の実施例に係わる下り制御シグナリング処理方法を示すフローチャートで、図５に示すように、以下のステップを含む。
ステップＳ５０２において、基地局（eNodeB）は、下り制御情報フォーマットを生成する。
【００５２】
ここで、多入力多出力（ＭＩＭＯ）データ転送の場合、上位層配置シグナリングに基づいて、当該下り制御情報フォーマットにおいてｘビットで活性化の転送モジュールの数量が異なる時の異なる第１種のパラメータ集合のジョイント符号化と上位層配置シグナリングに定義された２つの第２種のパラメータ集合中の異なる第２種のパラメータ集合を指示する。ここで、Ｘは３以上の正整数である。
ステップＳ５０４において、基地局は、上記下り制御情報フォーマットを物理制御チャネルを介して端末ＵＥへ送信する。
【００５３】
第１種のパラメータ集合のジョイント符号化が１つ又は２つの転送モジュールの活性化に対応する場合、転送の層数、スクランブル識別子、アンテナポートの中の２つの又は３つの情報にジョイント符号化を行うことを指示することが好ましい。第２種のパラメータ集合は、セルアイデンティティ識別子、送信アンテナ数量（ＣＲＳポート数量）、ＭＢ−ＳＦＮサブフレームの配置情報、セルアイデンティティ、ＣＳＩ−ＲＳパターン、非零電力ＣＳＩ−ＲＳのビットパターンの中の少なくとも１つのパラメータを含む。
【００５４】
例えば、当該第２種のパラメータ集合は、セルアイデンティティ識別子、ＣＲＳポート数量、ＭＢ−ＳＦＮサブフレームの配置情報を含み、又は、例えば、、当該第２種のパラメータ集合は、セルアイデンティティ識別子、送信アンテナ数量（ＣＲＳポート数量）、ＭＢ−ＳＦＮサブフレームの配置情報、ＣＳＩ−ＲＳパターンを含み、更に、例えば、当該第２種のパラメータ集合はセルアイデンティティ識別子、送信アンテナ数量（ＣＲＳポート数量）、ＭＢ−ＳＦＮサブフレームの配置情報、非零電力ＣＳＩ−ＲＳパターン、零電力ＣＳＩ−ＲＳのパターンを含む。
【００５５】
ここで、上記パイロット情報がパイロット図案及び/又はパイロットモードを含むことができる。パイロット図案とパイロットモードは等価なものであって、パイロット図案は唯一のパイロットモードに対応し、対応するパイロットモードによってパイロット図案を確定できる。
【００５６】
図６は、本発明の実施例に係わる下り制御シグナリング処理装置の構造を示すブロック図で、図６に示すように、当該装置は進化したノードＢに応用され、下り制御情報フォーマット生成モジュール６２と、下り制御シグナリング送信モジュール６４と、を含む。当該下り制御情報フォーマット生成モジュール６２は、下り制御情報フォーマットを生成し、多入力多出力（ＭＩＭＯ）データ転送の場合、上位層配置シグナリングに基づいて、上記下り制御情報フォーマットにおいてｘビットで活性化の転送モジュールの数量が異なる時の異なる第１種のパラメータ集合のジョイント符号化と異なる第２種のパラメータ集合を指示する。ここで、ｘは３以上の正整数である。下り制御シグナリング送信モジュール６４は、上記下り制御情報フォーマットを物理制御チャネルを介して端末ＵＥへ送信する。
【００５７】
上位層配置シグナリングが一番目の上位層配置指示シグナリングを含み、当該一番目の上位層配置指示シグナリングが２種類の下り制御シグナリングのｘビットの異なる指示方法の選択に用いられることが好ましい。
【００５８】
例えば、第１種指示方式は、当該ｘビットで転送モジュールの数量が異なる時の異なる第１種のパラメータ集合のジョイント符号化のみを指示する方式であって、第２種指示方式は、当該ｘビットがｘ１ビットとｘ２ビットの２つの部分を含み、ｘ１ビットで転送モジュールの数量が異なる時の異なる第１種のパラメータ集合のジョイント符号化を指示し、ｘ２ビットは２Ｘ２個の第２種のパラメータ集合から１つの第２種のパラメータ集合の選択に用いられ、また、上位層配置シグナリングによって前記２Ｘ２個の第２種のパラメータ集合が定義される。ここで、ｘ＝Ｘ１＋ｘ２であって、ｘ１とｘ２は１より大きい正整数である。
【００５９】
又は、例えば、第１種指示方式は、当該ｘビットで転送モジュールの数量が異なる時の異なる第１種のパラメータ集合のジョイント符号化のみを指示する方式であって、第２種指示方式は、当該ｘビットが２ｘ個の状態を含み、２Ｘ１個の状態は転送モジュールの数量が異なる時の異なる第１種のパラメータ集合のジョイント符号化を指示し、２Ｘ２個の状態は２Ｘ２個の第２種のパラメータ集合から１つの第２種のパラメータ集合の選択に用いられ、また、上位層配置シグナリングによって前記２Ｘ２個の第２種のパラメータ集合が定義される。ここで、ｘ＝ｘ１＋ｘ２であって、ｘ１とｘ２は１より大きい正整数である
【００６０】
第１種のパラメータ集合のジョイント符号化が１つ又は２つの転送モジュールの活性化に対応する場合、転送の層数、スクランブル識別子、アンテナポートの中の２つの又は３つの情報にジョイント符号化を行うことを指示することが好ましい。第２種のパラメータ集合は少なくとも、セルアイデンティティ識別子、送信アンテナ数量（ＣＲＳポート数量）、ＭＢ−ＳＦＮサブフレームの配置情報、セルアイデンティティ、ＣＳＩ−ＲＳパターン、非零電力ＣＳＩ−ＲＳのビットパターンの中の１つ又は複数のパラメータを含む。
【００６１】
例えば、当該第２種のパラメータ集合はセルアイデンティティ識別子、ＣＲＳポート数量、ＭＢ−ＳＦＮサブフレームの配置情報を含み、又は、例えば、第２種のパラメータ集合はセルアイデンティティ識別子、送信アンテナ数量（ＣＲＳポート数量）、ＭＢ−ＳＦＮサブフレームの配置情報、ＣＳＩ−ＲＳパターンを含み、又は、例えば、第２種のパラメータ集合はセルアイデンティティ識別子、送信アンテナ数量（ＣＲＳポート数量）、ＭＢ−ＳＦＮサブフレームの配置情報、非零電力ＣＳＩ−ＲＳパターン、零電力ＣＳＩ−ＲＳのパターンを含む。
以下、具体的な実施形態を結合して本発明の実施例を説明する。
【００６２】
ここで、以下の実施例及び好適な実施形態に記載の各種の対応関係（例えば、表中のジョイント符号化後のインテックスと具体的な属性との対応関係、アンテナポートと層数との対応関係、層のインテックスとパイロット図案との対応関係）は当該唯一の対応関係に限定されず、即ち、その順序を任意に交換して組み合わせることができ、ただ逐一対応すればよい。具体的に、１つのジョイント符号化後のインテックスは唯一の具体的な属性に対応し、１つの具体的な属性は唯一のジョイント符号化後のインテックスに対応する。以下の実施例及び好適な実施形態において可能の１種類の対応関係を示し、具体的な属性の状態が一致するのであれば、本発明の保護範囲に含まれる。
【００６３】
実施例１：
本実施例において下り制御シグナリングの処理方法を提供し、基地局（eNodeB）が下り制御情報フォーマットを生成するステップを含み、ここで、多入力多出力（ＭＩＭＯ）データ転送の場合、上位層配置シグナリングに基づいて、当該下り制御情報フォーマットにおいてｘ＝３ビットで活性化の転送モジュールが１又は２である時の異なる第１種のパラメータ集合のジョイント符号化と上位層配置シグナリングにより定義された２つの第２種のパラメータ集合中の異なる第２種のパラメータ集合を指示する。その後、基地局は上記下り制御情報フォーマットを物理制御チャネルＰＤＣＣＨと/又はeＰＤＣＣＨを介して端末ＵＥへ送信する。
【００６４】
上記上位層配置シグナリングは２種類の下り制御シグナリング中のｘビットの異なる指示方式を選択するに用いられる。例えば、上位層配置シグナリングが０である場合、第１種方式Ａを選択し、上位層配置シグナリングが１である場合、第２種方式Ｂを選択する。又は、上位層配置シグナリングがある場合、第１種方式Ａを選択し、当該上位層配置シグナリングがない場合には第２種方式Ｂを選択する。
以下、上記第１種方式Ａと第２種方式Ｂをそれぞれ説明する。
【００６５】
第１種指示方式Ａの場合、ｘ＝３ビットが転送モジュールの数量が１又は２である時の第１種のパラメータ集合のジョイント符号化のみを指示し、表１は、本発明の実施例に係わるＸビットが支援する少なくとも８層転送の第１類パラメータのジョイント符号化表で、表１に示すとおりである。
【００６６】
【表１】
0006293144.tif 000003
【００６７】
第２種指示方式Ｂの場合、当該ｘ＝３ビットがｘ１＝２ビットとｘ２＝１ビットの２つの部分を含み、表２は、本発明の実施例に係わるｘ１＝２ビットが支援する少なくとも４層の転送のジョイント符号化表で、表２に示す通りであって、ｘ１＝２ビットは転送モジュールの数量が１又は２である時の異なる第１種のパラメータ集合のジョイント符号化を指示する。表３は、本発明の実施例に係わるｘ２＝１ビットが支援する少なくとも４層の転送のジョイント符号化表で、表３に示す通りであって、ｘ２＝１ビットは２つの第２種のパラメータ集合から１つの第２種のパラメータ集合を選択するに用いられ、また、上位層配置シグナリングによって当該２つの第２種のパラメータ集合が定義される。
【００６８】
【表２】
0006293144.tif 000004
【００６９】
【表３】
0006293144.tif 000005
【００７０】
上記表１と表２において、第１種のパラメータ集合のジョイント符号化が１つ又は２つの転送モジュールの活性化に対応する場合、情報中の２つの又は３つの情報にジョイント符号化を行うことを指示する。３つの情報のジョイント符号化を行う時に第１種のパラメータ集合は転送の層数、スクランブル識別子、アンテナポートを含み、２つの情報のジョイント符号化を行う時に第１種のパラメータ集合は転送の層数とアンテナポートを含む。
【００７１】
表３において、第２種のパラメータ集合は、少なくとも、セルアイデンティティ識別子、送信アンテナ数量（ＣＲＳポート数量）、ＭＢ−ＳＦＮサブフレームの配置情報、ＣＳＩ−ＲＳパターン、非零電力ＣＳＩ−ＲＳのビットパターンの中の１つ又は複数のパラメータを含む。
【００７２】
例えば、上記第２種のパラメータ集合は、セルアイデンティティ識別子、ＣＲＳポート数量、ＭＢ−ＳＦＮサブフレームの配置情報を含み、又は、例えば、上記第２種のパラメータ集合はセルアイデンティティ識別子、送信アンテナ数量（ＣＲＳポート数量）、ＭＢ−ＳＦＮサブフレームの配置情報、ＣＳＩ−ＲＳパターンを含み、更に、例えば、上記第２種のパラメータ集合はセルアイデンティティ識別子、送信アンテナ数量（ＣＲＳポート数量）、ＭＢ−ＳＦＮサブフレームの配置情報、非零電力ＣＳＩ−ＲＳパターン、零電力ＣＳＩ−ＲＳのパターンを含む。
【００７３】
実施例２
本実施例において下り制御シグナリングの処理方法を提供し、基地局（eNodeB）が下り制御情報フォーマットを生成するステップを含み、ここで、多入力多出力（ＭＩＭＯ）データ転送の場合、上位層配置シグナリングに基づいて、当該下り制御情報フォーマットにおいて、ｘ＝３ビットで活性化の転送モジュールが１又は２である時の異なる第１種のパラメータ集合のジョイント符号化と上位層配置シグナリングによって定義された２つの第２種のパラメータ集合中の異なる第２種のパラメータ集合を指示する。その後、基地局は上記下り制御情報フォーマットを物理制御チャネルＰＤＣＣＨ又はeＰＤＣＣＨを介して端末ＵＥへ送信する。
【００７４】
同様に、上記上位層配置シグナリングは２種類の下り制御シグナリング中の前記ｘビットの異なる指示方式を選択するに用いられる。例えば、当該上位層配置シグナリングが０である場合、第１の方式Ａを選択し、上位層配置シグナリングが１である場合、第２種方式Ｂを選択する。又は、上記上位層配置シグナリングがある場合には第１種方式Ａを選択し、上記の上位層配置シグナリングがない場合には第２の方式Ｂを選択する。
以下、上記第１種方式Ａと第２種方式Ｂをそれぞれ説明する。
【００７５】
第１種指示方式Ａの場合、表１に示すように、当該ｘ＝３ビットで転送モジュールの数量が１又は２である時の異なる第１種のパラメータ集合のジョイント符号化のみを指示し、第２種指示方式Ｂの場合、当該ｘ＝３ビットは８つの状態を含み、表４は本発明の実施例に係わるｘビットが支援する少なくとも８層転送の第１種のパラメータ集合と第２種のパラメータ集合のジョイント符号化表で、表４に示す通りであって、転送モジュールが１又は２である時の異なる第１種のパラメータ集合と第２種のパラメータ集合の選択情報のジョイント符号化を指示する。
【００７６】
【表４】
0006293144.tif 000006
【００７７】
上記表１において、第１種のパラメータ集合のジョイント符号化が１つ又は２つの転送モジュールの活性化に対応する場合、以下の情報中の２つの又は３つの情報にジョイント符号化を行うことを指示する。３つの情報のジョイント符号化を行う場合には第１種のパラメータ集合は転送の層数、スクランブル識別子、アンテナポートを含み、２つの情報のジョイント符号化を行う場合には第１種のパラメータ集合は転送の層数とアンテナポートを含む。
【００７８】
上記表４において、第２種のパラメータ集合は少なくとも、セルアイデンティティ識別子、送信アンテナ数量（ＣＲＳポート数量）、ＭＢ−ＳＦＮサブフレームの配置情報、ＣＳＩ−ＲＳパターン、非零電力ＣＳＩ−ＲＳのビットパターンの中の１つ又は複数のパラメータを含む。
【００７９】
例えば、当該第２種のパラメータ集合は、セルアイデンティティ識別子、ＣＲＳポート数量、ＭＢ−ＳＦＮサブフレームの配置情報を含み、又は、例えば、当該第２種のパラメータ集合はセルアイデンティティ識別子、送信アンテナ数量（ＣＲＳポート数量）、ＭＢ−ＳＦＮサブフレームの配置情報、ＣＳＩ−ＲＳパターンを含み、更に、例えば、当該第２種のパラメータ集合はセルアイデンティティ識別子、送信アンテナ数量（ＣＲＳポート数量）、ＭＢ−ＳＦＮサブフレームの配置情報、非零電力ＣＳＩ−ＲＳパターン、零電力ＣＳＩ−ＲＳのパターンを含む。
【００８０】
実施例３：
本実施例において下り制御シグナリングの処理装置を提供し、進化したノードＢに応用されるものであって、下り制御情報フォーマット生成モジュールと下り制御シグナリング送信モジュールとを含む。当該下り制御情報フォーマット生成モジュールは下り制御情報フォーマットを生成し、多入力多出力（ＭＩＭＯ）データ転送の場合、上位層配置シグナリングに基づいて、上記下り制御情報フォーマットにおいて、ｘビットで活性化の転送モジュールの数量が異なる時の異なる第１種のパラメータ集合のジョイント符号化と異なる第２種のパラメータ集合を指示する。ここで、ｘは３以上の正整数である。下り制御シグナリング送信モジュールは上記下り制御情報フォーマットを物理制御チャネルを介して端末ＵＥへ送信する。
【００８１】
上記上位層配置シグナリングが２種類の下り制御シグナリング中の前記ｘビットの異なる指示方式を選択するに用いられることが好ましい。例えば、上位層配置シグナリングが０である場合、第１の方式Ａを選択し、上位層配置シグナリングが１である場合、第２種方式Ｂを選択する。又は、当該上位層配置シグナリングがある場合には第１種方式Ａを選択し、当該上位層配置シグナリングがない場合には第２の方式Ｂを選択する。
【００８２】
第１種指示方式Ａの場合、当該ｘ＝３ビットは転送モジュールの数量が１又は２である時の第１種のパラメータ集合のジョイント符号化のみを指示し、上記表１に示すとおりである。
【００８３】
第２種指示方式Ｂの場合、当該ｘ＝３ビットはｘ１＝２ビットとｘ２＝１ビットの２つの部分を含み、上記表２に示す通りであって、ｘ１＝２ビットは転送モジュールの数量が１又は２である時の異なる第１種のパラメータ集合のジョイント符号化を指示し、上記表３に示すとおりであって、ｘ２＝１ビットは２つの第２種のパラメータ集合から１つの第２種のパラメータ集合を選択するに用いられ、また、上位層配置シグナリングによって当該２つの第２種のパラメータ集合が定義される。
【００８４】
上記表１と表２において、第１種のパラメータ集合のジョイント符号化が１つ又は２つの転送モジュールの活性化に対応する場合、以下の情報の中の２つの又は３つの情報にジョイント符号化を行うことを指示する。３つの情報のジョイント符号化を行う時に第１種のパラメータ集合は転送の層数、スクランブル識別子、アンテナポートを含み、２つの情報のジョイント符号化を行う時に第１種のパラメータ集合は転送の層数とアンテナポートを含む。
【００８５】
上記表３において、当該第２種のパラメータ集合は少なくとも、セルアイデンティティ識別子、送信アンテナ数量（ＣＲＳポート数量）、ＭＢ−ＳＦＮサブフレームの配置情報、ＣＳＩ−ＲＳパターン、非零電力ＣＳＩ−ＲＳのビットパターンの中の１つ又は複数のパラメータを含む。
【００８６】
例えば、第２種のパラメータ集合はセルアイデンティティ識別子、ＣＲＳポート数量、ＭＢ−ＳＦＮサブフレームの配置情報を含み、又は、例えば、第２種のパラメータ集合はセルアイデンティティ識別子、送信アンテナ数量（ＣＲＳポート数量）、ＭＢ−ＳＦＮサブフレームの配置情報、ＣＳＩ−ＲＳパターンを含み、更に、例えば、第２種のパラメータ集合はセルアイデンティティ識別子、送信アンテナ数量（ＣＲＳポート数量）、ＭＢ−ＳＦＮサブフレームの配置情報、非零電力ＣＳＩ−ＲＳパターン、零電力ＣＳＩ−ＲＳのパターンを含む。
【００８７】
実施例４
本実施例において下り制御シグナリングの処理装置を提供し、進化したノードＢに応用されるものであって、下り制御情報フォーマット生成モジュールと下り制御シグナリング送信モジュールとを含む。当該下り制御情報フォーマット生成モジュールは下り制御情報フォーマットを生成し、多入力多出力（ＭＩＭＯ）データ転送の場合、上位層配置シグナリングに基づいて、上記下り制御情報フォーマットにおいて、ｘビットで活性化の転送モジュールの数量が異なる時の異なる第１種のパラメータ集合のジョイント符号化と異なる第２種のパラメータ集合を指示する。ここで、ｘは３以上の正整数である。下り制御シグナリング送信モジュールは上記下り制御情報フォーマットを物理制御チャネルを介して端末ＵＥへ送信する。
【００８８】
上記上位層配置シグナリングは２種類の下り制御シグナリング中の前記ｘビットの異なる指示方式の選択に用いられる。例えば、上記上位層配置シグナリングが０である場合、第１の方式Ａを選択し、上位層配置シグナリングが１である場合、第２種方式Ｂを選択する。又は、上記上位層配置シグナリングがある場合、第１種方式Ａを選択し、上記上位層配置シグナリングがない場合、第２の方式Ｂを選択する。
【００８９】
第１種指示方式Ａの場合、上記表１に示すように、当該ｘ＝３ビットは転送モジュールの数量が１又は２である時の異なる第１種のパラメータ集合のジョイント符号化のみを指示し、第２種指示方式Ｂの場合、当該ｘ＝３ビットは８つの状態を含み、上記表４に示すとおりであって、転送モジュールが１又は２である時の異なる第１種のパラメータ集合と第２種のパラメータ集合の選択情報のジョイント符号化を指示する。
【００９０】
上記表１において、第１種のパラメータ集合のジョイント符号化が１つ又は２つの転送モジュールの活性化に対応する場合、以下の情報の中の２つの又は３つの情報にジョイント符号化を行うことを指示する。３つの情報のジョイント符号化を行う時に第１種のパラメータ集合は転送の層数、スクランブル識別子、アンテナポートを含み、２つの情報のジョイント符号化を行う時に第１種のパラメータ集合は転送の層数とアンテナポートを含む。
【００９１】
上記表４において、第２種のパラメータ集合は少なくとも、セルアイデンティティ識別子、送信アンテナ数量（ＣＲＳポート数量）、ＭＢ−ＳＦＮサブフレームの配置情報、ＣＳＩ−ＲＳパターン、非零電力ＣＳＩ−ＲＳのビットパターンの中の１つ又は複数のパラメータを含む。
【００９２】
例えば、上記第２種のパラメータ集合はセルアイデンティティ識別子、ＣＲＳポート数量、ＭＢ−ＳＦＮサブフレームの配置情報を含み、又は、例えば、上記第２種のパラメータ集合はセルアイデンティティ識別子、送信アンテナ数量（ＣＲＳポート数量）、ＭＢ−ＳＦＮサブフレームの配置情報、ＣＳＩ−ＲＳパターンを含み、更に、例えば、上記第２種のパラメータ集合はセルアイデンティティ識別子、送信アンテナ数量（ＣＲＳポート数量）、ＭＢ−ＳＦＮサブフレームの配置情報、非零電力ＣＳＩ−ＲＳパターン、零電力ＣＳＩ−ＲＳのパターンを含む。
【００９３】
実施例５
上記実施例と好適な実施形態で説明した方法が、下り制御シグナリングを介して２Ｘ２個の第２種のパラメータ集合（例えば、上記実施例に記載の２つの第２種のパラメータ集合）から１つの第２種のパラメータ集合を選択するステップを更に含むことができる。上位層が如何に上記２Ｘ２個の第２種のパラメータ集合を定義するかについて、以下、好適な実施形態を提供し、ここで、上位層が他の同等方式で定義した２Ｘ２個の第２種のパラメータ集合も本発明に応用できる。
【００９４】
ネットワーク側において、上位層がＭ個の候補の第２種のパラメータ集合を定義し、また、Ｍ個の候補の第２パラメータ集合から２Ｘ２個の第２種のパラメータ集合を選択するに用いるように、１つのＵＥに２Ｘ２個のインテックスを配置する。Ｍ個の候補の第２パラメータ集合から２Ｘ２個の第２種のパラメータ集合を選択した後、ネットワーク側は下り制御シグナリングを端末へ送信し、ここで、当該下り制御シグナリングは１つのドメインを含み、当該ドメインを構成するＸ個のビット中のＸ１個のビットは上記第１種のパラメータ集合を指示し、Ｘビット中のＸ２ビットは上記第２種のパラメータ集合を指示する。
【００９５】
ここで、上記上位層を介してＭ個の候補の第２パラメータ集合から２Ｘ２個の第２種のパラメータ集合を選択し、その後、制御シグナリングによって２Ｘ２個の第２種のパラメータ集合中の１つの第２種のパラメータ集合を指示する方法実施例は対応する装置にも適用するので、上記実施例及び好適な実施形態によって、ネットワーク側は半静態的にＭ個の候補の第２種のパラメータ集合から２Ｘ２個の第２種のパラメータ集合を選択した後、動的に２Ｘ２個の第２種のパラメータ集合から１つの第２種のパラメータ集合を選択することができ、半静態的な選択と動的な選択を結合する方式で当該第２種のパラメータ集合を確定することによって、セル間の参照信号ＣＲＳの干渉をできる限り避けることができる。
【００９６】
そして、上記実施例及び好適な実施形態中の各状態とシグナリングビット値との間の関係は任意に置換でき、上記各状態と同じ記述であれば本発明の範囲に含まれる。
【００９７】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００９９】
２２  受信モジュール
２４  生成モジュール
３２  送信モジュール
４２  選択ユニット
４４  生成ユニット
６２  下り制御情報フォーマット生成モジュール
６４  下り制御シグナリング送信モジュール
【図１】
0006293144.tif 000007
【図２】
0006293144.tif 000008
【図３】
0006293144.tif 000009
【図４】
0006293144.tif 000010
【図５】
0006293144.tif 000011
【図６】
0006293144.tif 000012